(57)【要約】【課題】  本発明は、これによって、配信先が指定されていない情報であっても乗員毎に提示する情報を異ならせることができる情報配信装置を提供することを目的とする。【解決手段】  乗員のプロファイルデータを取得する取得手段１１，２７と、前記プロファイルデータに応じて各乗員に提示する情報を決定する決定手段１３，１４と、前記乗員それぞれに別々に情報を提示する提示手段１５，２１ａ，２１ｂ，２２ａ，２２ｂを有する。また、前記取得手段１１は、乗員が携帯する端末３０Ａ，３０Ｂから前記プロファイルデータを取得する。【選択図】      図１
2007049307.tif 000002
【特許請求の範囲】
【請求項１】
乗員のプロファイルデータを取得する取得手段と、
前記プロファイルデータに応じて各乗員に提示する情報を決定する決定手段と、
前記乗員それぞれに別々に情報を提示する提示手段を
有することを特徴とする情報配信装置。
【請求項２】
請求項１記載の情報配信装置において、
前記取得手段は、乗員が携帯する端末から前記プロファイルデータを取得することを特徴とする情報配信装置。
【請求項３】
請求項１または２記載の情報配信装置において、
乗員を認識する認識手段を有し、
前記取得手段は、前記認識手段で認識された乗員の前記プロファイルデータを取得することを特徴とする情報配信装置。
【請求項４】
請求項１乃至３のいずれか１項記載の情報配信装置において、
前記情報は、キーワードの分類項目に対して提示範囲が規定されており、
前記決定手段は、前記乗員のプロファイルデータを解析してキーワードの分類項目を抽出し、抽出したキーワードの分類項目が提示範囲にある情報を前記乗員に提示する情報として決定することを特徴とする情報配信装置。
【請求項５】
請求項４記載の情報配信装置において、
前記決定手段は、複数の乗員のプロファイルデータから抽出した複数のキーワードの各分類項目のアンド部分もしくはオア部分をとって合成したキーワードが提示範囲にある情報を前記複数の乗員に提示する情報として決定することを特徴とする情報配信装置。
【発明の詳細な説明】
【技術分野】
【０００１】
本発明は、情報配信装置に係り、特に、車両内の乗員に対し情報を配信する情報配信装置に関する。
【背景技術】
【０００２】
走行中の車両内においても、安全性やセキュリティを確保しながら、必要な情報を受信できるようにしたシステムが、例えば、特許文献１に記載されている。このシステムは、外部システムとの情報の送受信を行う通信手段と、受信情報を蓄積すると共にメディア変換する手段と、受信情報に付加された情報と乗員について登録された個人認証情報を基に受信情報の配信先を決定する手段と、決定した配信先への受信情報の配信制御する制御手段と、この制御手段の制御により受信情報を車両内の特定の乗員に提示する手段を備えている。
【特許文献１】特開２００３−１５８４８５号公報
【発明の開示】
【発明が解決しようとする課題】
【０００３】
特許文献１に記載の技術では、外部システムから配信する情報の中に、その情報の配信先（乗員）を指定する必要があり、配信先が指定されていない情報は全ての乗員に配信されてしまうという問題があった。
【０００４】
本発明は、上述の点に鑑みてなされたものであり、配信先が指定されていない情報であっても乗員毎に提示する情報を異ならせることができる情報配信装置を提供することを目的とする。
【課題を解決するための手段】
【０００５】
本発明の情報配信装置は、
乗員のプロファイルデータを取得する取得手段と、
前記プロファイルデータに応じて各乗員に提示する情報を決定する決定手段と、
前記乗員それぞれに別々に情報を提示する提示手段を有することにより、配信先が指定されていない情報であっても乗員毎に提示する情報を異ならせることができる。
【０００６】
前記情報配信装置の前記取得手段は、乗員が携帯する端末から前記プロファイルデータを取得できる。
【０００７】
また、前記情報配信装置の前記取得手段は、乗員を認識する認識手段を有し、
前記取得手段は、前記認識手段で認識された乗員の前記プロファイルデータを取得できる。
【０００８】
また、前記情報配信装置の前記情報は、キーワードの分類項目に対して提示範囲が規定されており、
前記決定手段は、前記乗員のプロファイルデータを解析してキーワードの分類項目を抽出し、抽出したキーワードの分類項目が提示範囲にある情報を前記乗員に提示する情報として決定することができる。
【０００９】
また、前記情報配信装置の前記決定手段は、複数の乗員のプロファイルデータから抽出した複数のキーワードの各分類項目のアンド部分もしくはオア部分をとって合成したキーワードが提示範囲にある情報を前記複数の乗員に提示する情報として決定することができる。
【発明の効果】
【００１０】
本発明によれば、配信先が指定されていない情報であっても乗員毎に提示する情報を異ならせることができる。
【発明を実施するための最良の形態】
【００１１】
以下、図面に基づいて本発明の実施形態について説明する。
【００１２】
＜第１実施形態＞
図１は、本発明の情報配信装置の第１実施形態のシステム構成図を示す。同図中、車両内には、車載端末１０が設けられている。車載端末１０は、データ受信部１１、プロファイルデータ記憶部１２、データ解析部１３、情報検索部１４、情報出力部１５、データ通信部１６、情報コンテンツ取得部１７、情報コンテンツ記憶部１８を有している。
【００１３】
情報出力部１５には車内に中央に配置された共通情報用のスピーカ１９及びディスプレイ２０と、各座席に配置された個別情報用のスピーカ２１ａ，２１ｂ等及びディスプレイ２２ａ，２２ｂ等が接続されている。
【００１４】
乗員それぞれが携帯する携帯端末３０Ａ，３０Ｂ等は、データ送信部３１とデータ管理部３２を有している。携帯端末３０Ａ，３０Ｂは、例えばＰＤＡ（Ｐｅｒｓｏｎａｌ  Ｄｉｇｉｔａｌ  Ａｓｓｉｓｔａｎｔ）や携帯電話等である。データ管理部３２には図２（Ａ），（Ｂ）に示すようなプロファイルデータが記憶されている。プロファイルデータには、ＩＤ（識別子）、氏名、性別、年齢、住所、職業、趣味等の分類項目が予め登録されている。
【００１５】
データ送信部３１は、データ管理部３２からプロファイルデータを読み出し、車載端末１０のデータ受信部１１に対しプロファイルデータを無線や赤外線を用いて送信する。このプロファイルデータの送信は、例えば搭乗時にユーザ（乗員）が携帯端末のスイッチ操作を行うことにより実行される。車載端末１０のデータ受信部１１は、座席毎に設けられており、プロファイルデータを受信して座席番号と共にプロファイルデータ記憶部１２に記憶すると共に、データ解析部１３に供給する。
【００１６】
データ解析部１３は、データ受信部１１から供給されるプロファイルデータを解析し、キーワードの分類項目（性別、年齢、住所、職業、趣味）を抽出して情報検索部１４に供給する。乗員が複数の場合はプロファイルデータを分類項目毎にアンド演算、もしくはオア演算しキーワードを合成する。情報検索部１４は、データ解析部１３から供給されるキーワードによって情報コンテンツ記憶部１８を検索し、検索結果の情報を情報出力部１５に供給する。
【００１７】
データ通信部１６は、例えば路車間通信システムのアクセスポイントとの無線ＬＡＮ通信、または、携帯電話を用いた基地局との広域無線通信を行う。情報コンテンツ取得部１７は、データ通信部１６の無線ＬＡＮ通信または広域無線通信により、アクセスポイントまたは基地局から送信される情報コンテンツを取得して情報コンテンツ記憶部１８に記憶する。
【００１８】
情報コンテンツ記憶部１８に記憶された情報コンテンツは、図３に示すように、情報毎に、キーワードの分類項目（性別、年齢、住所、職業、趣味）に対して提示範囲が予め規定されている。例えば情報１は性別が男、かつ、年齢が２０才以上、かつ、趣味が音楽であるプロファイルのユーザ（乗員）に対して提示される。また、情報２は性別が女、かつ、年齢が１８〜５０才、かつ、住所が東京都または大阪府であるプロファイルのユーザに対して提示される。
【００１９】
情報出力部１５は、検索結果の情報をその提示範囲に従って、共通情報用のスピーカ１９及びディスプレイ２０、または、各座席には位置された個別情報用のスピーカ２１ａ，２１ｂ等及びディスプレイ２２ａ，２２ｂのいずれかに供給する。これによって、特定の乗員もしくは全ての乗員に情報が提示される。
【００２０】
図４は、本発明の情報配信装置が実行する動作の第１実施形態のフローチャートを示す。同図中、ステップＳ１で新たに人が乗車したか否かを判別し、乗車した場合にのみステップＳ２に進んで、新たに乗車した人は携帯端末を操作して車載端末１０にプロファイルデータを送信する。
【００２１】
次に、ステップＳ３で情報検索を開始するか否かを判別し、開始する場合はステップＳ４に進み、開始しない場合はステップＳ１に進む。なお、情報検索は情報コンテンツ取得部１７が新たな情報を取得したとき、または、所定時間周期で開始される。
【００２２】
ステップＳ４では、乗員は一人であるか否かを判別し、一人の場合にはステップＳ５で当該乗員のプロファイルデータを解析して得たキーワードに基づき情報検索部１４で情報コンテンツ記憶部１８を検索する。次に、ステップＳ６で検索結果の情報を、当該乗員のプロファイルデータに付された座席番号に対応する個別情報用のスピーカ（例えば２１ａ）及びディスプレイ（例えば２２ａ）により提示する。
【００２３】
一方、乗員が複数の場合はステップＳ７に進み、データ解析部１３で複数の乗員のプロファイルデータのキーワードの各分類項目のアンド部分をとり、もしくは複数の乗員のプロファイルデータのキーワードの各分類項目のオア部分をとり、キーワードを合成する。なお、アンド部分をとるか、もしくはオア部分をとるかは予め設定されており、必要に応じてユーザが切り替える。ここで、図２（Ａ），（Ｂ）に示すプロファイルデータにおけるアンド部分は趣味の分類項目が「映画」であり、オア部分は性別の分類項目が「男女」である。
【００２４】
次に、ステップＳ８で合成されたキーワードに基づき情報検索部１４で情報コンテンツ記憶部１８を検索する。次に、ステップＳ９で検索結果の情報を、共通情報用のスピーカ１９及びディスプレイ２０、または、当該乗員のプロファイルデータに付された座席番号に対応する各座席には位置された個別情報用のスピーカ２１ａ，２１ｂ等及びディスプレイ２２ａ，２２ｂのいずれかにより提示する。ここでは、ステップＳ７でアンド部分をとった場合には共通情報用のスピーカ１９及びディスプレイ２０を用い、オア部分をとった場合には当該乗員のプロファイルデータに付された座席番号に対応する個別情報用のスピーカ（例えば２１ａ）及びディスプレイ（例えば２２ａ）を用いる。
【００２５】
上記のステップＳ６またはステップＳ９を実行した後、ステップＳ１に進んで、上記の処理を繰り返す。これによって、配信先が指定されていない情報であっても乗員毎に提示する情報を異ならせることができる。
【００２６】
＜第２実施形態＞
図５は、本発明の情報配信装置の第２実施形態のシステム構成図を示す。同図中、図１と同一部分には同一符号を付す。
【００２７】
図５において、車両内には、車載端末１０が設けられている。車載端末１０は、データ受信部１１、プロファイルデータ記憶部１２、データ解析部１３、情報検索部１４、情報出力部１５、データ通信部１６、情報コンテンツ取得部１７、情報コンテンツ記憶部１８、カメラ２５、個人認証部２６、データ取得部２７を有している。
【００２８】
情報出力部１５には車内に中央に配置された共通情報用のスピーカ１９及びディスプレイ２０と、各座席には位置された個別情報用のスピーカ２１ａ，２１ｂ等及びディスプレイ２２ａ，２２ｂ等が接続されている。
【００２９】
乗員それぞれが携帯する携帯端末３０Ａ等は、データ送信部３１とデータ管理部３２を有している。携帯端末３０Ａ，３０Ｂは、例えばＰＤＡや携帯電話等である。データ管理部３２には図２（Ａ），（Ｂ）に示すようなプロファイルデータが記憶されている。プロファイルデータには、ＩＤ（識別子）、氏名、性別、年齢、住所、職業、趣味等の分類項目が予め登録されている。
【００３０】
データ送信部３１は、データ管理部３２からプロファイルデータを読み出し、車載端末１０のデータ受信部１１に対しプロファイルデータを無線や赤外線を用いて送信する。このプロファイルデータの送信は、例えば搭乗時にユーザ（乗員）が携帯端末のスイッチ操作を行うことにより実行される。車載端末１０のデータ受信部１１は、座席毎に設けられており、プロファイルデータを受信して座席番号と共にプロファイルデータ記憶部１２に記憶すると共に、データ解析部１３に供給する。
【００３１】
また、カメラ２５は車両内の乗員全員の顔を撮影し、その顔画像を個人認証部２６に供給する。個人認証部２６には予め認証用の顔画像ファイルが登録されており、個人認証部２６は撮影した顔画像を認証用の顔画像ファイルとマッチングして乗員を識別し認証を行い、乗員のＩＤ（識別子）を得る。データ取得部２７は、乗員のＩＤに基づき、プロファイルデータ記憶部１２から乗員のプロファイルデータを取得しデータ解析部１３に供給する。
【００３２】
データ解析部１３は、データ受信部１１またはデータ取得部２７から供給されるプロファイルデータを解析し、キーワードの分類項目（性別、年齢、住所、職業、趣味）を抽出して情報検索部１４に供給する。乗員が複数の場合はプロファイルデータを分類項目毎にアンド演算、もしくはオア演算しキーワードを合成する。情報検索部１４は、データ解析部１３から供給されるキーワードによって情報コンテンツ記憶部１８を検索し、検索結果の情報を情報出力部１５に供給する。
【００３３】
データ通信部１６は、例えば路車間通信システムのアクセスポイントとの無線ＬＡＮ通信、または、携帯電話を用いた基地局との広域無線通信を行う。情報コンテンツ取得部１７は、データ通信部１６の無線ＬＡＮ通信または広域無線通信により、アクセスポイントまたは基地局から送信される情報コンテンツを取得して情報コンテンツ記憶部１８に記憶する。
【００３４】
情報コンテンツ記憶部１８に記憶された情報コンテンツは、図３に示すように、情報毎に、キーワードの分類項目（性別、年齢、住所、職業、趣味）に対して提示範囲が予め規定されている。例えば情報１は性別が男、かつ、年齢が２０才以上、かつ、趣味が音楽であるプロファイルのユーザ（乗員）に対して提示される。また、情報２は性別が女、かつ、年齢が１８〜５０才、かつ、住所が東京都または大阪府であるプロファイルのユーザに対して提示される。
【００３５】
情報出力部１５は、検索結果の情報をその提示範囲に従って、共通情報用のスピーカ１９及びディスプレイ２０、または、各座席には位置された個別情報用のスピーカ２１ａ，２１ｂ等及びディスプレイ２２ａ，２２ｂのいずれかに供給する。これによって、特定の乗員もしくは全ての乗員に情報が提示される。
【００３６】
図６は、本発明の情報配信装置が実行する動作の第２実施形態のフローチャートを示す。同図中、ステップＳ１１で新たに人が乗車したか否かを判別し、乗車した場合にのみステップＳ１２に進んで、個人認証部２６はカメラ２５で撮影した乗員（新たに乗車した人）の顔画像の識別及び認証を行って乗員のＩＤ（識別子）を得る。
【００３７】
次に、ステップＳ１３でデータ取得部２７は乗員のＩＤ（識別子）がプロファイルデータ記憶部１２に登録されているか否かを判別し、登録されていない場合にはステップＳ１４で乗員（新たに乗車した人）は携帯端末を操作して車載端末１０にプロファイルデータを送信する。
【００３８】
この後、ステップＳ１５で情報検索を開始するか否かを判別し、開始する場合はステップＳ１６に進み、開始しない場合はステップＳ１１に進む。なお、情報検索は情報コンテンツ取得部１７が新たな情報を取得したとき、または、所定時間周期で開始される。
【００３９】
ステップＳ１６では、乗員は一人であるか否かを判別し、一人の場合にはステップＳ１７で当該乗員のプロファイルデータを解析して得たキーワードに基づき情報検索部１４で情報コンテンツ記憶部１８を検索する。次に、ステップＳ１８で検索結果の情報を、当該乗員のプロファイルデータに付された座席番号に対応する個別情報用のスピーカ（例えば２１ａ）及びディスプレイ（例えば２２ａ）により提示する。
【００４０】
一方、乗員が複数の場合はステップＳ１９に進み、データ解析部１３で複数の乗員のプロファイルデータのキーワードの各分類項目のアンド部分をとり、もしくは複数の乗員のプロファイルデータのキーワードの各分類項目のオア部分をとり、キーワードを合成する。なお、アンド部分をとるか、もしくはオア部分をとるかは予め設定されており、必要に応じてユーザが切り替える。ここで、図２（Ａ），（Ｂ）に示すプロファイルデータにおけるアンド部分は趣味の分類項目が「映画」であり、オア部分は性別の分類項目が「男女」である。
【００４１】
次に、ステップＳ２０で合成されたキーワードに基づき情報検索部１４で情報コンテンツ記憶部１８を検索する。次に、ステップＳ２１で検索結果の情報を、共通情報用のスピーカ１９及びディスプレイ２０、または、各座席には位置された個別情報用のスピーカ２１ａ，２１ｂ等及びディスプレイ２２ａ，２２ｂのいずれかにより提示する。ここでは、ステップＳ１７でアンド部分をとった場合には共通情報用のスピーカ１９及びディスプレイ２０を用い、オア部分をとった場合には当該乗員のプロファイルデータに付された座席番号に対応する個別情報用のスピーカ（例えば２１ａ）及びディスプレイ（例えば２２ａ）を用いる。
【００４２】
上記のステップＳ１８またはステップＳ２１を実行した後、ステップＳ１１に進んで、上記の処理を繰り返す。これによって、配信先が指定されていない情報であっても乗員毎に提示する情報を異ならせることができる。
【００４３】
なお、ステップＳ２，Ｓ１４では、乗員が携帯端末を操作して車載端末１０にプロファイルデータを送信しているが、車載端末１０から携帯端末に対しプロファイルデータ送信要求を送信し、これに応答して携帯端末から車載端末１０にプロファイルデータを送信する構成としても良い。また、個人認証部２７は顔画像の代りに音声や指紋またはパスワードで乗員の識別と認証を行っても良い。
【００４４】
なお、データ受信部１１，データ取得部２７が請求項記載の取得手段に相当し、データ解析部１３，情報検索部１４が決定手段に相当し、情報出力部１５，スピーカ２１ａ，２１ｂ，ディスプレイ２２ａ，２２ｂが提示手段に相当し、カメラ２５，個人認証部２７が認識手段に相当する。
【図面の簡単な説明】
【００４５】
【図１】本発明の情報配信装置の第１実施形態のシステム構成図である。
【図２】プロファイルデータの構成を示す図である。
【図３】情報コンテンツの分類項目を示す図である。通信量の予測値を表示したナビゲーション表示画面の一例を示す図である。
【図４】本発明の情報配信装置が実行する動作の第１実施形態のフローチャートである。
【図５】本発明の情報配信装置の第２実施形態のシステム構成図である。
【図６】本発明の情報配信装置が実行する動作の第２実施形態のフローチャートである。
【符号の説明】
【００４６】
１０  車載端末
１１  データ受信部
１２  プロファイルデータ記憶部
１３  データ解析部
１４  情報検索部
１５  情報出力部
１６  データ通信部
１７  情報コンテンツ取得部
１８  情報コンテンツ記憶部
１９，２１ａ，２１ｂ  スピーカ
２０，２２ａ，２２  ディスプレイ
２５  カメラ
２６  個人認証部
２７  データ取得部
３０Ａ，３０Ｂ  携帯端末
３１  データ送信部
３２  データ管理部
【図１】
2007049307.tif 000003
【図２】
2007049307.tif 000004
【図３】
2007049307.tif 000005
【図４】
2007049307.tif 000006
【図５】
2007049307.tif 000007
【図６】
2007049307.tif 000008